(57)【要約】【課題】簡単な構造で、湯に茶葉を浸して保温しながらお茶を抽出でき、抽出したお茶を良好な状態で保温するティーポットを提供する。【解決手段】内容器２ａと外容器２ｂとの間に断熱空間層６を有する容器本体２と、容器本体２の上部開口部に装着される肩部材３と、肩部材３に着脱可能に懸架されて肩部材３の挿通孔３ａから容器本体２内に挿入される茶漉し器４と、蓋５とでティーポット１を形成する。肩部材３の挿通孔上縁部に環状の第１段部１０を形成し、茶漉し器４に、上部開口部の周縁に、第１段部１０に懸架される係止鍔１２を形成する。係止鍔１２の上面内周部に環状の第２段部１５を形成し、蓋５を第１段部１０又は第２段部１５のいずれかに載置可能とする。【選択図】  図１
2004329589.tif 000002
【特許請求の範囲】
【請求項１】
内容器と外容器との間に断熱空間層を有する容器本体と、該容器本体の上部開口部に装着される肩部材と、該肩部材に着脱可能に懸架されて肩部材の挿通孔から容器本体内に挿入される茶漉し器と、容器本体の上部開口又は該茶漉し器の上部開口を覆う蓋とを備えたティーポットにおいて、前記肩部材には、挿通孔上縁部に環状の第１段部を形成し、前記茶漉し器には、上部開口部の周縁に、前記肩部材に懸架される係止鍔を形成し、該係止鍔の上面内周部に環状の第２段部を形成し、前記蓋を前記第１段部又は第２段部のいずれかに載置可能としたことを特徴とするティーポット。
【請求項２】
前記第１及び第２段部の内径と前記蓋の外径とを、実質的に同径としたことを特徴とする請求項１記載のティーポット。
【請求項３】
前記係止鍔の内周縁下面に、前記第１段部に係合する係止段部を設けたことを特徴とする請求項１または２記載のティーポット。
【請求項４】
前記係止鍔の上面外周部を、内周側に向けて漸次下方に傾斜するテーパー状に形成したことを特徴とする請求項１乃至３のいずれか１項記載のティーポット。
【請求項５】
前記係止鍔の外周部は、少なくともその一部が、前記肩部材の上部外周から延出していることを特徴とする請求項１乃至４のいずれか１項記載のティーポット。
【請求項６】
前記肩部材に注ぎ口を形成するとともに、前記係止鍔の外周部に前記注ぎ口の上部を覆うカバー部を延出したことを特徴とする請求項１乃至５のいずれか１項記載のティーポット。
【請求項７】
前記茶漉し器は、その底部に、湯切りする際に前記第１段部に係止可能な係止リブを突設したことを特徴とする請求項１乃至６のいずれか１項記載のティーポット。
【請求項８】
前記肩部材及び前記係止鍔の、少なくとも一方が合成樹脂製であることを特徴とする請求項１乃至７のいずれか１項記載のティーポット。
【発明の詳細な説明】
【０００１】
【発明の属する技術分野】
本発明は、卓上用のティーポットに係り、詳しくは断熱空間層を備えた容器本体内で、湯に茶葉を浸して保温しながらお茶を抽出するとともに、抽出したお茶をそのまま保温しておくことのできるティーポットに関する。
【０００２】
【従来の技術】
従来、湯に緑茶や烏龍茶やプーアール茶等の茶葉を浸して保温しながらお茶を抽出し、さらに抽出したお茶をそのまま保温するために、陶器、金属、ガラス製のティーポットに厚手の布製で作られたティーコゼーをかぶせることが行われている。
【０００３】
また、近年では保温力を向上させるため、断熱層を備えた二重構造のティーポットが提案されている。このティーポットは、内容器と外容器との間に断熱空間層を備えた容器本体と、容器本体の口縁部に螺着される口部材と、蓋とを備えている。口部材は、筒体と肩部材とを一体に備えたもので、筒体の下端には茶漉し器の係合部が形成され、この係合部に茶漉し器が着脱可能に取り付けられている。また筒体には上部内周部にねじ部が形成され、該ねじ部に蓋が螺着される。口部材は、茶漉し器を容器本体内に挿入して、容器本体の内部開口側に形成したねじ部に螺着されることによって、容器本体に取り付けられ、この取り付けによって肩部材が容器本体の開口部口縁から容器本体の外周部を覆うように配設される（例えば、特許文献１参照）。
【０００４】
【特許文献１】
特開平１１−２５３３１２号公報（第２−３頁  図１，図２）
【０００５】
【発明が解決しようとする課題】
しかし、上述のティーコゼーを用いるものでは、ティーコゼーが布製であり保温力が小さいためお茶が冷めやすいばかりか、通常の茶葉を容器内に直接投入するティーポットや、開口部に茶漉し器を吊設したものでも、茶漉し器の着脱が困難なタイプのティーポットでお茶を入れた場合、保温中に茶葉からタンニンの抽出が進行して渋味が増して、お茶の風味が損なわれることがあった。
【０００６】
また、断熱層を備えた二重構造のティーポットでは、口部材や蓋が容器本体や筒体に螺合されることによって取り付けられるため、口部材，蓋，容器本体及び筒体にねじ部をそれぞれ形成しなくてならず構造が複雑になるとともに、部品点数も多くコストが嵩んでいた。また、茶漉し器が筒体に着脱可能に設けられているとともに、部品点数が多いことから、使用後に分解して洗浄するのが面倒であった。さらに、上述のティーポットは、携帯には便利であるが、卓上で手軽にお茶を楽しむ際に使用するティーポットとしては、簡便にお茶を注ぐことができず不向きであった。
【０００７】
そこで本発明は、簡単な構造で、湯に茶葉を浸して保温しながらお茶を抽出することができ、さらに抽出したお茶を良好な状態で保温することができる卓上用のティーポットを提供することを目的としている。
【０００８】
【課題を解決するための手段】
上記の目的を達成するため本発明は、内容器と外容器との間に断熱空間層を有する容器本体と、該容器本体の上部開口部に装着される肩部材と、該肩部材に着脱可能に懸架されて肩部材の挿通孔から容器本体内に挿入される茶漉し器と、容器本体の上部開口又は該茶漉し器の上部開口を覆う蓋とを備えたティーポットにおいて、前記肩部材は、挿通孔上縁部に環状の第１段部を形成し、前記茶漉し器は、上部開口部の周縁に、前記肩部材に懸架される係止鍔を形成し、該係止鍔の上面内周部に環状の第２段部を形成し、前記蓋を前記第１段部又は第２段部のいずれかに載置可能としたことを特徴としている。また、前記第１及び第２段部の内径と前記蓋の外径とを、実質的に同径とし、さらに、前記係止鍔の内周縁下面に、前記第１段部に係合する係止段部を設け、また、前記係止鍔の上面外周部を、内周側に向けて漸次下方に傾斜するテーパー状に形成してもよく、前記係止鍔の外周部は、少なくともその一部が、前記肩部材の上部外周から延出していてもよい。さらに、前記肩部材に注ぎ口を形成するとともに、前記係止鍔の外周部に前記注ぎ口の上部を覆うカバー部を延出することもでき、前記茶漉し器は、その底部に、湯切りする際に前記第１段部に係止可能な係止リブを突設するとよい。また、前記肩部材及び前記係止鍔の双方またはいずれか一方が合成樹脂製であると好適である。
【０００９】
【発明の実施の形態】
以下、本発明の各形態例を図面に基づいて詳しく説明する。図１乃至図６は、本発明の第１形態例を示すもので、図１は図５のＩ−Ｉ断面図、図２はティーポットの要部拡大断面図、図３は湯切りの状態を示す説明図、図４は茶漉し器を外した状態を示すティーポットの断面図、図５はティーポットの平面図、図６はティーポットの分解斜視図である。
【００１０】
本形態例のティーポット１は、１〜４人分のお茶を入れるもので、断熱二重構造の容器本体２と、該容器本体２の開口部に装着される肩部材３と、肩部材３に懸架され容器本体内に挿入される茶漉し器４と、該茶漉し器４の上部に装着される蓋５とで構成されている。
【００１１】
容器本体２は、金属製の有底の内容器２ａと有底の外容器２ｂの上部開口部同士を一体に溶接したもので、両容器２ａ，２ｂの間には真空断熱構造の断熱空間層６が形成されている。容器本体２は、上部から下部に向けて緩やかな膨らみをもったポット状に形成され、容器本体２の上部開口部には、肩部材３が一体に取り付けられている。
【００１２】
肩部材３は、容器本体２の上部開口に装着されるもので、合成樹脂で形成され、外周側に突出する注ぎ口７と把手８とが相対向して設けられている。肩部材３の上部口縁には、外周側より内周側に向けて漸次下方に傾斜する第１テーパー部９が形成される。また、肩部材３の第１テーパー部内周側で、肩部材３に形成される挿通孔３ａの上縁部には、茶漉し器４が懸架される環状の第１段部１０が連続して形成されている。
【００１３】
茶漉し器４は、網部材で形成される有底縦長の筒状体１１と、該筒状体１１の上部周縁に連接される合成樹脂製の係止鍔１２と、筒状体１１の底部に嵌着される合成樹脂製の枠体１３とを備えている。係止鍔１２の外径は、肩部材３の上部外周の径より大径に形成されており、係止鍔１２を肩部材３に装着した際に、外周部が肩部材３の上部外周から延出するように形成されている。
【００１４】
係止鍔１２の上面外周部には、外周側より内周側に向けて漸次下方に傾斜する第２テーパー部１４が形成されるとともに、係止鍔１２の下面は、前記肩部材３に形成した第１テーパー部９の傾きと略同一のテーパー状に形成され、係止鍔１２を肩部材３に載置する際に係止鍔１２の下面と第１テーパー部９とが密着するようにしている。係止鍔１２の第２テーパー部１４の上面内周部には、前記第１段部１０と同径の第２段部１５が連続して形成される。また、係止鍔１２の内周縁下面には、前記肩部材３に形成された第１段部１０に係合する係止段部１６が突設されている。
【００１５】
枠体１３は、短円筒状に形成され、底部には中心を通る十文字状のリブが形成されている。枠体１３の底部外周側には、前記リブの延長線上に、４つの係止リブ１７が突設されている。
【００１６】
各係止リブ１７は、下端に向けて集束する断面略三角形状に形成される。また、筒状体１１の大きさは、筒状体１１に投入した茶葉が注ぎ入れた湯に完全に浸ることができるとともに、茶漉し器４を肩部材３に取り付けた際に、容器本体２の内底に枠体１３の係止リブ１７が接触しない程度の深さに形成されることが望ましい。
【００１７】
蓋５は合成樹脂で形成され、外径が前記第１段部１０及び第２段部１５の内径と略同一となる略半球状に形成される。蓋５の中央部には摘み部５ａが突設され、外周側寄りには通気孔５ｂが穿設されている。
【００１８】
上述のように形成されたティーポット１は、緑茶等の不発酵茶を抽出するのにも適しているが、特に、発酵茶と呼ばれる紅茶や、烏龍茶及びプーアール茶等の中国茶や、抽出時間が長くかかる豆茶，柿の葉茶，びわ茶等の木の葉、薬草を乾燥させて作られた健康茶を抽出するのに適している。お茶を抽出する際には、まず、肩部材３の第１テーパー部９に、茶漉し器４の係止鍔１２を載置し、第１テーパー部９と係止鍔１２の下面とを密着させるとともに、肩部材３の第１段部１０に係止鍔１２の係止段部１６を当接させて、茶漉し器４を肩部材３に懸架する。茶漉し器４の筒状体１１へ、適切な量の茶葉を投入し、適切な量の湯を茶漉し器４の上部開口から容器本体２内に注ぎ入れる。この時、茶漉し器４の係止鍔１２に形成された第２テーパー部１４により、注ぎ入れる湯が容器本体２の内部へ導入され、容器本体２外側へ湯がこぼれることを防止できる。
【００１９】
茶漉し器４の第２段部１５に蓋５を載置し、容器本体２内を保温しながらお茶を抽出する。中国茶や健康茶を抽出する場合には、沸騰した状態の湯を容器本体２に注ぎ入れ、緑茶を入れる際には、葉の種類に応じて沸騰した状態の湯をやや冷ましてから容器本体２に注ぎ入れることによって、茶葉の種類に応じて良好なお茶を抽出することができる。
【００２０】
所定時間経過後、茶漉し器４の係止鍔１２を摘んで茶漉し器４を引き上げ、図３に示されるように、係止リブ１７の１つを第１段部１０に係止させ、該係止リブ１７に対向する筒状体１１の側面を、肩部材３の第１テーパー部９に斜めに傾けて支持させて、茶漉し器４及び茶葉の湯切りを行う。湯切りを行った後、茶漉し器４を適当な器に取り出し、蓋５を肩部材３に形成した第１段部１０に載置して、抽出した後のお茶を保温する。保温されたお茶は、適宜注ぎ口７から湯飲みやカップに注がれる。
【００２１】
茶漉し器４を引き上げる際には、茶漉し器４の係止鍔１２は、肩部材３の上端部より外方に突出する外径を備えているので、係止鍔１２を摘みやすく、また、合成樹脂で形成されていることから、係止鍔１２が熱くなることが防止できとともに、内容器２ａ内のお茶等の熱が伝熱により外部に逃げるのを抑制することができ、保温効果を維持することができる。さらに、茶漉し器４の着脱の際には、係止鍔１２が肩部材３と緩衝することがあっても、係止鍔１２及び肩部材３の双方が合成樹脂で形成されていることから肩部材３を傷付ける虞がない。
【００２２】
また、茶漉し器４には、底部外側に４つの係止リブ１７が突設されていることにより、移し替えた器の中に立てた状態で保持させることができる。茶葉の種類によっては、２番茶、３番茶と複数回抽出させることができるものがあり、その場合には一旦取り外した茶漉し器４を再度肩部材３に取り付けて湯を注ぎ入れることにより、無駄なくお茶を複数回抽出させることができる。さらに、取り外した茶漉し器４を移し替えた器の中に立てた状態で保持させることにより、２番茶、３番茶を抽出する前に、茶葉に含まれている湯を良く切ることができ、２番茶、３番茶を良好に抽出させることができる。
【００２３】
抽出後の茶葉は、茶漉し器４を取り除くことにより、簡単にティーポットから取り出すことができ、茶葉からのタンニンの抽出を適度に抑えることができ、お茶の風味が保持され、良好な状態で抽出したお茶を保温しておくことができる。さらに、使用後は蓋５や茶漉し器４を容器本体２から取り外し、簡単に洗浄することができる。
【００２４】
図７は、本発明の第２形態例を示すティーポットの要部断面図で、第１形態例と同一の箇所には同一の番号を付しその詳細な説明は省略する。
【００２５】
本形態例のティーポット２０に適用される茶漉し器２１の鍔部材２２は、その外径が、肩部材３の上端部の径より大径に形成されるとともに、その一部を外方にさらに突出させて、肩部材３に形成された注ぎ口７の上部を覆うカバー部２３が一体に形成されている。
【００２６】
本形態例では、肩部材３に形成された注ぎ口７の上部をカバー部２３で覆うことにより、お茶を抽出中に、容器本体２内の熱や、茶葉からの香りが注ぎ口７から逃げることを極力防止し、良好なお茶を抽出することができる。
【００２７】
なお、上述の各本形態例では、係止鍔の外周部全体を肩部材の上部外周より延出させて、茶漉し器を着脱する際に、係止鍔を摘みやすくしているが、本発明は係止鍔の外周部の一部を肩部材の上部外周から延出させたものでも差し支えない。また、茶漉し器の係止鍔を肩部材に懸架したときに、係止リブが容器本体内底に当接するように、茶漉し器の筒状体を長く形成することもでき、係止リブの個数も上述の形態例のように４つに限るものではなく任意である。さらに、茶漉し器の裏面に係止段部を設けずに、係止鍔の裏面に肩部材の第１テーパー部と同様の傾きを有したテーパー面を形成し、このテーパー面と第１テーパー部とを密着させて茶漉し器を肩部材に懸架するものでもよい。
【００２８】
【発明の効果】
以上説明したように、第１の発明によれば、断熱性を有する容器本体の中で、湯の温度を高く保持しながら茶葉からお茶を良好に抽出させることができる。また、抽出後の茶葉を茶漉し器を取り除くことにより、簡単にティーポットから取り出すことができ、茶葉からのタンニンの抽出を適度に抑えることができ、お茶の風味を保持し、良好な状態で抽出したお茶を保温しておくことができる。また、構造が簡単であるため、使用後に容易に洗浄することがきる。
【００２９】
第２及び第３の発明によれば、茶漉し器を肩部材に密着させて懸架させることができるので、容器本体内の保温状態を良好に保持することができる。第４の発明によれば、湯を容器本体内に注ぎ入れる際に、テーパー部が湯を容器本体内に案内し、湯が容器本体外部にこぼれることを防止でき、第５発明によれば、茶漉し器を容器本体に着脱させる際に、係止鍔が肩部材より突出しているので、突出部分を摘んで簡単に着脱させることができる。また、第６発明によれば、お茶の抽出中に、容器本体内の熱や、茶葉からの香りが注ぎ口から逃げることを極力防止し、良好なお茶を抽出することができる。さらに第７発明によれば、お茶を抽出した後に、茶葉及び茶漉し器を簡便に湯切りすることができ、第８発明によれば、茶漉し器を着脱する際に、係止鍔が熱くなることを防止できるとともに、着脱時に肩部材と係止鍔とが緩衝することがあっても、傷つき難くすることができる。
【図面の簡単な説明】
【図１】図５のＩ−Ｉ断面図
【図２】本発明の第１形態例を示すティーポットの要部拡大断面図
【図３】湯切りの状態を示す説明図
【図４】茶漉し器を外した状態を示すティーポットの断面図
【図５】本発明の第１形態例を示すティーポットの平面図
【図６】本発明の第１形態例を示すティーポットの分解斜視図
【図７】本発明の第２形態例を示すティーポットの要部拡大断面図
【符号の説明】
１，２０…ティーポット、２…容器本体、２ａ…内容器、２ｂ…外容器、３…肩部材、３ａ…挿通孔、４，２１…茶漉し器、５…蓋、６…断熱空間層、９…第１テーパー部、１０…第１段部、１１…筒状体、１２，２２…係止鍔、１３…枠体、１４…第２テーパー部、１５…第２段部、１６…係止段部、１７…係止リブ、２３…カバー部
【図１】
2004329589.tif 000003
【図２】
2004329589.tif 000004
【図３】
2004329589.tif 000005
【図４】
2004329589.tif 000006
【図５】
2004329589.tif 000007
【図６】
2004329589.tif 000008
【図７】
2004329589.tif 000009